(57)【要約】  太陽電池モジュール１０は、太陽電池パネル２０と、太陽電池パネル２０の一方側の面である裏面に取り付けられる端子ボックス３０と、太陽電池パネル２０の端縁に取り付けられるフレーム４０と、端子ボックス３０の一方側の面である裏面を覆う基部５１とフレーム４０を構成するフレーム４０Ｂに固定される固定部５２とで構成される金属製の第１カバー５０とを備える。
2014118840.tif 000002
【特許請求の範囲】
【請求項１】
太陽電池パネルと、
前記太陽電池パネルの一方側の面に取り付けられる端子ボックスと、
前記太陽電池パネルの端縁に取り付けられるフレームと、
前記端子ボックスの一方側の面を覆う基部と前記フレームに固定される固定部とで構成される金属製のカバーと、
を備えた太陽電池モジュール。
【請求項２】
請求項１に記載の太陽電池モジュールであって、
前記端子ボックス及び前記カバーは、前記フレームの長手方向に沿って取り付けられ、
前記カバーは、前記基部の幅方向一端において前記基部に対して略垂直に設けられる前記固定部と、前記基部の幅方向他端に設けられ前記端子ボックスの側面を覆う側壁部と、を有する太陽電池モジュール。
【請求項３】
請求項１又は２に記載の太陽電池モジュールであって、
前記端子ボックス及び前記カバーは、前記フレームの長手方向に沿って取り付けられ、
前記基部の長手方向両側には、前記端子ボックスの前記一方側の面を覆う位置から張り出した張り出し領域がそれぞれ形成されており、
前記固定部は、前記各張り出し領域にそれぞれ設けられる太陽電池モジュール。
【請求項４】
請求項３に記載の太陽電池モジュールであって、
前記各張り出し領域は、前記基部の前記固定部が設けられる幅方向一端側よりも幅方向他端側で長手方向の長さが小さくなるようにカットされている太陽電池モジュール。
【請求項５】
請求項１〜４のいずれか１項に記載の太陽電池モジュールであって、
前記フレームは、前記太陽電池パネルのうち前記端子ボックスが取り付けられた部分の他方側の面を覆う他方側カバーを有する太陽電池モジュール。
【請求項６】
請求項１〜５のいずれか１項に記載の太陽電池モジュールであって、
前記固定部は、歯付き座金を介して前記フレームにビス止めされている太陽電池モジュール。
【発明の詳細な説明】
【技術分野】
【０００１】
本発明は、太陽電池モジュールに関する。
【背景技術】
【０００２】
特許文献１，２は、太陽電池パネルの裏面側に端子ボックスが設置された太陽電池モジュールを開示している。具体的に、特許文献１は、太陽電池パネルの裏面側基板に接着剤を用いて端子ボックスを取り付けた構造を開示する。特許文献２は、フレームの一部に開口スペースを設け、かかるスペースに端子ボックスを嵌め込んだ構造を開示する。
【先行技術文献】
【特許文献】
【０００３】
【特許文献１】特開２００７‐８１０３４号公報
【特許文献２】特開２００７‐９５８１９号公報
【発明の概要】
【発明が解決しようとする課題】
【０００４】
ところで、太陽電池モジュールには種々の安全対策が求められており、かかる安全対策の１つとして、端子ボックスの脱落防止が挙げられる。端子ボックスは、火災発生時などの緊急時においても脱落しないことが要求される。なお、特許文献２に開示された構造は、端子ボックスの固定性に優れるものと想定されるが、フレームの構造が複雑になるという問題を有する。
【課題を解決するための手段】
【０００５】
本発明に係る太陽電池モジュールは、太陽電池パネルと、太陽電池パネルの一方側の面に取り付けられる端子ボックスと、太陽電池パネルの端縁に取り付けられるフレームと、端子ボックスの一方側の面を覆う基部とフレームに固定される固定部とで構成される金属製のカバーとを備える。
【発明の効果】
【０００６】
本発明に係る太陽電池モジュールによれば、簡便な方法によって、火災発生時などの緊急時においても端子ボックスの脱落を防止することができる。
【図面の簡単な説明】
【０００７】
【図１】本発明の実施形態の一例である太陽電池モジュールを受光面側から見た図である。
【図２】本発明の実施形態の一例である太陽電池モジュールの一部を裏面側から見た図である。
【図３】図１のＡＡ線断面図である。
【図４】図３のＢ部拡大図である。
【図５】本発明の実施形態の一例である端子ボックス、及び第１の端子ボックスカバーを拡大して示す斜視図である。
【図６】本発明の実施形態の一例である第１の端子ボックスカバーを抜き出して示す斜視図である。
【図７Ａ】本発明の実施形態の他の一例である端子ボックスカバーを示す図である。
【図７Ｂ】本発明の実施形態の他の一例である端子ボックスカバーを示す図である。
【図７Ｃ】本発明の実施形態の他の一例である端子ボックスカバーを示す図である。
【図７Ｄ】本発明の実施形態の他の一例である端子ボックスカバーを示す図である。
【図８】本発明の実施形態の他の一例である端子ボックスカバーの固定構造を示す断面図である。
【発明を実施するための形態】
【０００８】
以下、図面を参照しながら、本発明に係る実施形態について詳細に説明する。
実施形態において参照する図面は、模式的に記載されたものであり、図面に描画された構成要素の寸法比率などは、現物と異なる場合がある。具体的な寸法比率等は、以下の説明を参酌して判断されるべきである。
【０００９】
本明細書において「略＊＊」とは、「略同一」を例に挙げて説明すると、全く同一はもとより、実質的に同一と認められるものを含む意図である。
【００１０】
図１は、本発明の実施形態の一例である太陽電池モジュール１０を受光面側から見た図、図２は、電池モジュール１０を裏面側から見た図である。図３は、図１のＡＡ線断面図である。本実施形態において、太陽電池モジュール１０の「受光面」とは太陽光が主に入射する面を意味し、「裏面」とは受光面と反対側の面を意味する。受光面、裏面の用語は、太陽電池パネル２０や端子ボックス３０についても使用する。
【００１１】
図１〜図３に示すように、太陽電池モジュール１０は、太陽電池パネル２０と、太陽電池パネル２０の裏面に取り付けられる端子ボックス３０と、太陽電池パネル２０の端縁に取り付けられるフレーム４０とを備える。さらに、太陽電池モジュール１０は、フレーム４０に固定され、端子ボックス３０の裏面を覆う金属製のカバーである第１の端子ボックスカバー５０（以下、「第１カバー５０」とする）を備える。図１に例示する太陽電池パネル２０は、平面視において矩形形状を有し、短辺側の端縁にフレーム４０Ａ，４０Ｂが、長辺側の端縁にフレーム４０Ｃがそれぞれ取り付けられている。なお、「平面視」とは、受光面に対し垂直方向から見たときの平面形状を意味する。
【００１２】
太陽電池パネル２０は、複数の太陽電池素子２１と、太陽電池素子２１の受光面側に配置される第１保護部材２２と、太陽電池素子２１の裏面側に配置される第２保護部材２３とを備える。複数の太陽電池素子２１は、第１保護部材２２及び第２保護部材２３により挟持されると共に、充填材２４により封止されている。
【００１３】
太陽電池パネル２０は、太陽電池素子２１の電極に取り付けられる配線材２５を備える。配線材２５は、隣接する太陽電池素子２１の間を直列に接続して太陽電池素子２１のストリング２６を形成する。本実施形態では、太陽電池パネル２０の長手方向に延びた６列のストリング２６が形成されている。隣接するストリング２６の端部から延びる配線材２５同士は、第１の渡り配線材２７、及び第２の渡り配線材２８により接続される。第２の渡り配線材２８は、太陽電池パネル２０から引き出されて端子ボックス３０に設けられた図示しないバイパスダイオードに接続される。ストリング２６の列の両端から延びる配線材２５には、出力配線材２９が接続される。出力配線材２９は、陰極端子、正極端子として太陽電池パネル２０から引き出されて端子ボックス３０に接続される。
【００１４】
太陽電池素子２１は、太陽光を受光することでキャリアを生成する光電変換部を備える。光電変換部には、例えば、その受光面上に受光面電極が、裏面上に裏面電極がそれぞれ形成される（いずれも図示せず）。なお、太陽電池素子２１の構造は特に限定されず、例えば、光電変換部の裏面上のみに電極が形成された構造であってもよい。
【００１５】
光電変換部は、例えば、結晶系シリコン（ｃ‐Ｓｉ）、ガリウム砒素（ＧａＡｓ）、インジウム燐（ＩｎＰ）等の半導体基板と、基板上に形成された非晶質半導体層と、非晶質半導体層上に形成された透明導電層とを有する。具体例としては、ｎ型単結晶シリコン基板の受光面上にｉ型非晶質シリコン層、ｐ型非晶質シリコン層、及び透明導電層を順に形成し、裏面上にｉ型非晶質シリコン層、ｎ型非晶質シリコン層、及び透明導電層を順に形成した構造が挙げられる。透明導電層は、酸化インジウム（Ｉｎ2Ｏ3）や酸化亜鉛（ＺｎＯ）等の金属酸化物に、錫（Ｓｎ）やアンチモン（Ｓｂ）等をドープした透明導電性酸化物から構成されることが好ましい。
【００１６】
電極は、例えば、複数のフィンガー部、及び複数のバスバー部からなる。フィンガー部は、透明導電層上の広範囲に形成される細線状の電極であり、バスバー部は、フィンガー部からキャリアを収集する電極である。配線材２５は、バスバー部に取り付けられる。
【００１７】
第１保護部材２２には、例えば、ガラス基板や樹脂基板、樹脂フィルム等の透光性を有する部材を用いることができる。これらのうち、耐火性、耐久性等の観点から、ガラス基板が好適である。第２保護部材２３には、第１保護部材２２と同じ部材を用いることができ、また裏面側からの光の入射を想定しない場合には透光性を有さない部材を用いることもできる。本実施形態では、第１保護部材２２、第２保護部材２３共に透光性を有するガラス基板を用いている。充填材２４には、例えば、エチレン酢酸ビニル共重合体（ＥＶＡ）、ポリビニルブチラール（ＰＶＢ）等の樹脂を用いることができる。
【００１８】
端子ボックス３０は、太陽電池パネル２０の裏面において、太陽電池パネル２０の短辺に沿った端縁（以下、「端縁Ｂ」という）に取り付けられている。端子ボックス３０は、例えば、接着剤３１によって太陽電池パネル２０の裏面に取り付けられる。接着剤３１としては、シリコーン樹脂系接着剤を用いることが好適であり、後述する太陽電池パネル２０をフレーム４０に固定する接着剤と同様のものを用いることができる。端子ボックス３０の形状等は特に限定されないが、略直方体形状を有する樹脂製ケースであることが好ましい。
【００１９】
端子ボックス３０は、複数の端子台を内蔵することが好適である。端子ボックス３０内に引き込まれた各配線材は、半田付け等の方法により各端子台にそれぞれ取り付けられる。出力配線材２９の接続される端子台には、モジュールから電力を出力するための電力ケーブル３２が取り付けられている。電力ケーブル３２は、端子ボックス３０の長手方向両端から引き出されている。
【００２０】
端子ボックス３０は、フレーム４０Ｂの長手方向に沿って取り付けられる。より詳しくは、端子ボックス３０の長手方向がフレーム４０Ｂの長手方向と略平行に、且つフレーム４０Ｂに接して取り付けられることが好適である。
【００２１】
フレーム４０は、上記のように、３種類のフレーム４０Ａ，４０Ｂ，４０Ｃを組み合わせて構成され、太陽電池パネル２０の四方を囲んでいる。太陽電池パネル２０は、後述の凹部に嵌め込まれると共に接着剤３１を用いてフレーム４０に固定される。フレーム４０は、ステンレスやアルミニウム等の金属製枠であって、軽量性等の観点から好ましくはアルミニウム製とされる。フレーム４０は、太陽電池パネル２０の端縁を保護すると共に、太陽電池モジュール１０を屋根等に設置する際の固定用部材として利用される。また、フレーム４０は、端子ボックス３０が接して配置された場合、端子ボックス３０に内蔵されたダイオードの放熱にも利用される。
【００２２】
フレーム４０Ａは、太陽電池パネル２０の端縁Ｂと反対側の短辺に沿った端縁に取り付けられるフレームであって、中空構造の本体部４１Ａと、太陽電池パネル２０の端縁が嵌め込まれる凹部４２Ａとを有する。本体部４１Ａは、長手方向に直交する方向（幅方向）に切断した断面が上下方向にやや長く延びた略矩形形状を有する。以下、特に断らない限り、フレーム４０の「断面」とは幅方向に切断した断面を意味する。また、フレーム４０等の「上下方向」とは、太陽電池パネル２０の厚み方向を意味し、受光面側を「上」、裏面側を「下」とする。
【００２３】
なお、各フレームは、例えば、本体部の空洞に長手方向端部から圧入されるコーナーピース（図示せず）を用いて互いに接続される。各フレームは、接続部分で各々の端面が接触するように、外側から内側に向かって長手方向の長さが小さくなる平面視略台形形状にカットされる。フレーム４０Ｂも、後述する第２の端子ボックスカバー４４を含む全体として平面視略台形形状であることが好ましい。なお、各フレームの「内側」とは太陽電池パネル２０側を、「外側」とはその反対側を意味する。
【００２４】
凹部４２Ａは、本体部４１Ａの上面と、本体部４１Ａ上に設けられた長手方向に延びる断面略Ｌ字形状の部材である押え部４３Ａとにより断面略Ｕ字形状に形成される。即ち、凹部４２Ａは、太陽電池パネル２０の端縁を内側から差し込み可能な溝である。押え部４３Ａは、本体部４１Ａの上面の外側から上方に延びる第１の部分と、第１の部分の上端から内側に延びる第２の部分とを有する。第２の部分の幅方向長さは、本体部４１Ａの幅方向長さと略同等である。
【００２５】
本実施形態では、太陽電池パネル２０の端縁Ｂ以外の端縁において、第１保護部材２２の端と第２保護部材２３の端とが一致している。即ち、フレーム４０Ａ，４０Ｃの凹部は、第１保護部材２２、第２保護部材２３、及びこれに挟持された充填材２４等を嵌め込み可能な溝である。一方、端縁Ｂでは、第１保護部材２２が第２保護部材２３の端から延出している。フレーム４０Ｂの凹部４２Ｂは、第１保護部材２２のみを嵌め込み可能な溝であり、フレーム４０Ａ，４０Ｃの凹部よりも狭くなっている。なお、フレーム４０Ｃは、フレーム４０Ａよりも長手方向長さ（以下、単に「長さ」という）が長い以外はフレーム４０Ａと同じ構造を有する。
【００２６】
フレーム４０Ｂは、太陽電池パネル２０の端縁Ｂに取り付けられる。フレーム４０Ｂは、フレーム４０Ａ，４０Ｃと同様に、本体部４１Ｂ及び凹部４２Ｂを有する。凹部４２Ｂは、本体部４１Ｂの上面と、本体部４１Ｂ上に設けられた長手方向に延びる断面略Ｌ字形状の部材である押え部４３Ｂとにより形成される。但し、押え部４３Ｂの第１の部分の長さはフレーム４０Ａ，４０Ｃの場合よりも短い。
【００２７】
フレーム４０Ｂは、太陽電池パネル２０のうち端子ボックス３０が取り付けられた部分の受光面側を覆う第２の端子ボックスカバー４４（以下、「第２カバー４４」とする）を有することが好適である。第２カバー４４は、少なくともフレーム４０Ｂの直上から太陽電池モジュール１０を平面視したときに端子ボックス３０が見えないように、且つ太陽電池素子２１上を覆わないように設けられることが好ましい。第２カバー４４を設けて端子ボックス３０の受光面側を覆うことで、火災等により火の粉がモジュール上にのった場合に、その熱が端子ボックス３０に伝わり難くなる。これにより、端子ボックス３０を固定する接着剤３１の溶融等を抑制し、モジュールの耐火性を向上させることができる。また、第２カバー４４が端子ボックス３０を隠蔽して、モジュールの意匠性を向上させる。
【００２８】
第２カバー４４は、凹部４２Ｂを形成する押え部４３Ｂが本体部４１Ｂよりも内側に張り出して設けられることが好適である。耐火性向上等の観点から、第２カバー４４と太陽電池パネル２０との間には接着剤３１が設けられず、第２カバー４４が受光面に貼り付いていないことが好適である。また、第２カバー４４は、端子ボックス３０が取り付けられるフレーム４０Ｂの長手方向中央部近傍だけに形成されてもよく、図１に例示するようにフレーム４０Ｂの長手方向の全長に亘って形成されてもよい。
【００２９】
以下、図４〜図６をさらに参照しながら、第１カバー５０の構成について詳説する。
図４は、図３のＢ部拡大図である。図５は、端子ボックス３０、及び第１カバー５０を拡大して示す斜視図であり、図６は、第１カバー５０を抜き出して示す斜視図である。
【００３０】
図４〜図６に示すように、第１カバー５０は、端子ボックス３０の裏面を覆う基部５１と、フレーム４０Ｂに固定される固定部５２とで構成される。第１カバー５０は、例えば、火災等により端子ボックス３０が太陽電池パネル２０の裏面から剥がれた場合に端子ボックス３０を受け止める役割を果たす。また、屋根等に当たって跳ね返る雹などから端子ボックス３０を保護する役割を果たす。第１カバー５０は、金属製のカバーであって、フレーム４０と同様にアルミニウム製であることが好ましい。
【００３１】
第１カバー５０は、端子ボックス３０と同様に、フレーム４０Ｂの長手方向に沿って取り付けられる。より詳しくは、第１カバー５０の長手方向が、端子ボックス３０及びフレーム４０Ｂの長手方向と略平行となるように設けられる。また、第１カバー５０は、フレーム４０Ｂの本体部４１Ｂよりも下方にとび出ないように設けられることが好適である。
【００３２】
基部５１は、端子ボックス３０の裏面を覆う部分であって、平坦な板状であることが好ましい。基部５１は、端子ボックス３０の裏面に接して設けられてもよいが、雹などが当たった場合の衝撃が端子ボックス３０に伝わり難いように、端子ボックス３０との間に隙間（例えば、１ｍｍ〜５ｍｍ程度の隙間）をあけて設けられることが好適である。
【００３３】
基部５１は、例えば、端子ボックス３０の裏面に対して略平行に設けられる。基部５１の長手方向の長さは、端子ボックス３０の長手方向の長さよりも長いことが好適である。そして、基部５１の長手方向両側には、端子ボックス３０の裏面を覆う位置から張り出した張り出し領域５１ｚがそれぞれ形成される。換言すると、基部５１の長手方向両側に張り出し領域５１ｚが形成されるように、第１カバー５０がフレーム４０Ｂに取り付けられる。
【００３４】
固定部５２は、基部５１の幅方向一端において基部５１に対して略垂直に設けられることが好適である。固定部５２は、フレーム４０Ｂの本体部４１Ｂに取り付けることができる。固定部５２にはビス孔５３を形成することが好ましく、固定部５２は、例えば、ビス５４を用いて本体部４１Ｂにビス止めされる。固定部５２の固定方法は、ビス止めに限定されず、溶接等であってもよい。
【００３５】
固定部５２は、各張り出し領域５１ｚの２箇所にそれぞれ設けられることが好適である。即ち、各固定部５２の間には、端子ボックス３０とフレーム４０Ｂとを隔てる壁がなく、端子ボックス３０は太陽電池パネル２０の裏面だけでなくフレーム４０Ｂに対しても接着剤３１等により固定できる。第１カバー５０の長手方向において、固定部５２の長さは、例えば、張り出し領域５１ｚの長さと同程度である。２箇所の固定部５２には、ビス孔５３がそれぞれ形成されており、端子ボックス３０の長手方向両端よりもフレーム４０Ｂの長手方向両端側の位置において第１カバー５０がフレーム４０Ｂにビス止めされる。
【００３６】
なお、張り出し領域５１ｚは、基部５１の固定部５２が設けられる幅方向一端側よりも幅方向他端側で長手方向の長さが小さくなるようにカットされている。本実施形態では、各張り出し領域５１ｚが基部５１の幅方向及び長手方向に対して交差する方向に直線状にカットされており、基部５２は、第２カバー４４と同様に平面視略台形形状を有する。上記のように、端子ボックス３０の長手方向両端よりもフレーム４０Ｂの長手方向両端側の位置で第１カバー５０がビス止めされ、さらに張り出し領域５１ｚが平面視略台形形状を有するようにカットすれば、第１カバー５０の取り付けが容易になる。
【００３７】
第１カバー５０は、さらに、端子ボックス３０の側面を覆う側壁部５５を有することが好適である。側壁部５５は、固定部５２が設けられる基部５１の幅方向一端とは反対側である基部５１の幅方向他端に設けられる。ここで、端子ボックス３０の「側面」とは、上下方向に沿った面を意味し、本実施形態において側壁部５５に覆われる端子ボックス３０の側面は、端子ボックス３０の長手方向に沿った側面である。側壁部５５を設けることにより、端子ボックス３０の脱落をより高度に防止できる。
【００３８】
側壁部５５は、第１カバー５０の取り付け性等を考慮して、基部５１に対して略垂直に設けられることが好適である。側壁部５５は、例えば、上下方向長さが固定部５２の上下方向長さよりも短く（例えば、固定部５２の１／５〜１／３程度）、基部５１の幅方向他端の全長に亘って設けられる。側壁部５５と端子ボックス３０との間にも、隙間を設けておくことが好適である。
【００３９】
上記構成を備えた太陽電池モジュール１０によれば、第１カバー５０を設けたことにより、火災発生時などの緊急時においても端子ボックス３０の脱落を防止することができる。太陽電池モジュール１０は、第２カバー４４を設けることにより耐火性を向上させているが、それでもなお火災等の熱で接着剤３１が溶融して端子ボックス３０が太陽電池パネル２０の裏面から剥がれた場合に、第１カバー５０により端子ボックス３０を受け止めることができる。
【００４０】
また、第１カバー５０を設けたことにより、屋根等に当たって跳ね返った雹が、太陽電池モジュール１０の裏面側から端子ボックス３０に当たることを防止して、端子ボックス３０の損傷を防止することができる。
【００４１】
上記実施形態は、本発明の目的を損なわない範囲で適宜設計変更できる。
例えば、上記実施形態では、各張り出し領域５１ｚの２箇所に固定部５２をそれぞれ設けたが、図７Ａに示すように、基部５１の長手方向の全長に亘って基部５１に対して略垂直な１つの固定部６０を設けてもよい。ビス孔５３は、固定部６０の長手方向両端近傍の２箇所に形成されることが好適である。この場合、端子ボックス３０とフレーム４０Ｂとの間に固定部６０が差し込まれ、固定部６０と側壁部５５とにより端子ボックス３０は幅方向両側から挟まれる。
【００４２】
また、上記実施形態では、側壁部５５を設けたが、図７Ｂに示すように、側壁部５５を設けない形態としてもよい。例えば、フレーム４０Ｂを鉛直下方側に向けて設置されるモジュールの場合は、側壁部５５を無くしてカバーの構造を簡素化することが好ましい。
【００４３】
また、上記実施形態では、基部５２が平面視略台形形状を有していたが、図７Ｃ，７Ｄに示すように、基部は他の形状であってもよい。図７Ｃに示す例では、基部７０の各張り出し領域７０ｚが円弧状にカットされている。これにより、基部７０の長手方向両端は、側壁部５５側から固定部５２側に向かって長手方向の長さが次第に長くなるように湾曲している。図７Ｄに示す例では、基部８０が平面視略矩形形状を有している。そして、基部８０の長手方向両端には基部８０に対して略垂直に固定部５２が設けられており、固定部５２の大部分が基部８０の長手方向両端から長手方向にとび出ている。図７Ｃ，７Ｄに示す形態とすることで、例えば、固定部５２のビス止めがさらに容易になる。
【００４４】
図８は、第１カバー５０の固定構造を示す断面図である。第１カバー５０の固定部５２は、上記のように、ビス孔５３に挿入されたビス５４を用いてフレーム４０Ｂの本体部４１Ｂにビス止めされる。このとき、ビス５４に座金を取り付けてもよい。なお、第１カバー５０が導電体からなる場合には、第１カバー５０の表面に絶縁層５６を形成しておくことが好適である。具体的には、第１カバー５０がアルミニウムからなる場合にあっては、アルマイト処理等を施すとよい。さらに、第１カバー５０の表面に絶縁層５６を形成した場合には、本体部４１Ｂを介して固定部５２も接地していることが好ましい。
【００４５】
固定部５２の一部と本体部４１Ｂとの導通をとるために、上記ワッシャとして、歯付き座金５７を用いることが好適である。これにより、歯付き座金５７の歯が絶縁層５６を貫通して固定部５２の金属に接触し、当該座金及びビス５４を介して固定部５２の一部と本体部４１Ｂとの導通が確保される。歯付き座金５７は、２つある固定部５２のうち一方に設けられていればよい。また、歯付き座金５７は、絶縁層５６を貫通する歯を有するものであれば内歯型、外歯型などいずれの形態であってもよいが、好ましくは外歯型である。図８に示す例では、ビス５４と歯付き座金５７を別部材としているが、施工性向上等の観点から、これらは一体化されていてもよい。
【符号の説明】
【００４６】
１０  太陽電池モジュール、２０  太陽電池パネル、２１  太陽電池素子、２２  第１保護部材、２３  第２保護部材、２４  充填材、２５  配線材、２６  ストリング、２７  第１の渡り配線材、２８  第２の渡り配線材、２９  出力配線材、３０  端子ボックス、３１  接着剤、３２  電力ケーブル、４０，４０Ａ，４０Ｂ，４０Ｃ  フレーム、４１Ａ，４１Ｂ  本体部、４２Ａ，４２Ｂ  凹部、４３Ａ，４３Ｂ  押え部、４４  第２の端子ボックスカバー、５０  第１の端子ボックスカバー、５１  基部、５１ｚ  張り出し領域、５２  固定部、５３  ビス孔、５４  ビス、５５  側壁部
【図１】
2014118840.tif 000003
【図２】
2014118840.tif 000004
【図３】
2014118840.tif 000005
【図４】
2014118840.tif 000006
【図５】
2014118840.tif 000007
【図６】
2014118840.tif 000008
【図７Ａ】
2014118840.tif 000009
【図７Ｂ】
2014118840.tif 000010
【図７Ｃ】
2014118840.tif 000011
【図７Ｄ】
2014118840.tif 000012
【図８】
2014118840.tif 000013
【国際調査報告】
2014118840.tif 000014
2014118840.tif 000015
2014118840.tif 000016
2014118840.tif 000017